(57)【要約】【課題】濃度調整中に電源が切られた場合であっても、その後のリサイクルを良好に行うことができる画像形成装置を提供することを目的とする。【解決手段】画像形成装置は、調整容器液量センサＣＥにより濃度調整容器３１０内の液量が所定量になったと検出されると濃度調整容器３１０内の濃度を濃度センサ（トルクセンサＦＥ等）で検出する濃度検出動作と、検出した濃度に基づいて濃度調整容器３１０内を所定濃度に調整する濃度調整動作と、調整した所定濃度の現像液ＤＬを貯留部（一時貯留タンク３４０等）に送る補給動作を実行する制御装置を備える。制御装置は、電源が入れられたときに調整容器液量センサＣＥからの信号に基づいて濃度調整容器３１０内の液量が所定量以上であると判断した場合に、退避用送液手段（退避用ポンプＰ７）を制御して濃度調整容器３１０内の現像液ＤＬを退避部（退避タンク３６０）に退避させる。【選択図】図６
2010237475.tif 000002
【特許請求の範囲】
【請求項１】
キャリア液に現像剤を混合させてなる所定濃度の現像液を貯留する貯留部と、
現像液を担持して感光体に供給する現像液担持体と、
前記貯留部内の現像液を前記現像液担持体に供給する供給手段と、
前記感光体に供給されずに前記現像液担持体上に残った現像液を回収する回収手段と、
前記回収手段で回収した現像液の濃度調整を行うための濃度調整容器と、
当該濃度調整容器内の現像液を退避させるように送液を行う退避用送液手段と、
前記濃度調整容器内から前記退避用送液手段によって送られてくる現像液を収容可能な退避部と、
前記濃度調整容器で濃度調整された現像液を前記貯留部に送る第１送液手段と、
キャリア液を収容するキャリア液タンクと、
前記キャリア液タンク内のキャリア液を前記濃度調整容器に送る第２送液手段と、
前記所定濃度よりも高濃度の現像液を収容する高濃度タンクと、
前記高濃度タンクから前記濃度調整容器に前記高濃度の現像液を送る第３送液手段と、
前記濃度調整容器内の液量が所定量である場合に前記濃度調整容器内の濃度を検出可能な濃度センサと、
前記濃度調整容器内の液量を検出するための調整容器液量センサと、
前記調整容器液量センサにより前記濃度調整容器内の液量が前記所定量になったことが検出されると前記濃度調整容器内の現像液の濃度を前記濃度センサで検出する濃度検出動作と、検出した濃度に基づいて前記第２送液手段および前記第３送液手段の少なくとも一方を制御することで前記濃度調整容器内の現像液を前記所定濃度に調整する濃度調整動作と、調整後に前記第１送液手段を制御して前記所定濃度の現像液を前記貯留部に送る補給動作とを実行する制御装置とを備え、
前記制御装置は、電源が入れられたときに前記調整容器液量センサからの信号に基づいて前記濃度調整容器内の液量が前記所定量以上であると判断した場合に、前記退避用送液手段を制御して前記濃度調整容器内の現像液を前記退避部に退避させることを特徴とする画像形成装置。
【請求項２】
前記制御装置は、
前記濃度調整容器内の現像液が前記所定量になるまで前記現像液の一部を前記退避部に退避させることを特徴とする請求項１に記載の画像形成装置。
【請求項３】
前記制御装置は、
前記濃度調整容器内の現像液をすべて前記退避部に退避させた後、前記第２送液手段および前記第３送液手段を制御することで前記濃度調整容器内に前記所定濃度の現像液を生成することを特徴とする請求項１に記載の画像形成装置。
【請求項４】
前記制御装置は、
前記濃度調整容器内の現像液が前記所定量より少なくなるまで前記現像液の一部を前記退避部に退避させることを特徴とする請求項１に記載の画像形成装置。
【請求項５】
前記退避部は、前記現像液を貯留可能な退避タンクであり、
前記退避タンク内の現像液を前記濃度調整容器に戻すための戻し用送液手段をさらに備えたことを特徴とする請求項１〜請求項４のいずれか１項に記載の画像形成装置。
【請求項６】
前記制御装置は、
前記補給動作を実行し、再度前記濃度検出動作が行われるまでの間に、前記戻し用送液手段を制御することで前記退避タンク内の現像液を前記所定量より少ない量だけ前記濃度調整容器に戻すことを特徴とする請求項５に記載の画像形成装置。
【発明の詳細な説明】
【技術分野】
【０００１】
本発明は、感光体に供給されずに現像液担持体上に残った現像液を回収して再利用する画像形成装置に関する。
【背景技術】
【０００２】
従来、画像形成装置として、所定濃度の現像液を感光体に供給する現像ローラ（現像液担持体）を有する現像装置と、感光体に供給されずに現像ローラ上に残った現像液を回収する回収機構と、回収した現像液の濃度を所定濃度に調整する濃度調整機構と、濃度調整された現像液を現像装置に供給する供給機構とを備えたものが知られている（特許文献１参照）。
【０００３】
具体的に、濃度調整機構は、回収機構から送られてくる現像液を収容する濃度調整容器と、濃度調整容器内の現像液の濃度を検出する濃度センサと、キャリア液を収容するキャリア液タンクと、前記所定濃度よりも高濃度の現像液を収容する高濃度タンクとを備えている。さらに、供給機構は、濃度調整機構から送られてくる所定濃度の現像液を一時的に貯留する一時貯留タンク（リザーブタンク）を備えている。
【０００４】
そして、この画像形成装置では、回収機構から濃度調整容器内に回収された現像液の濃度が濃度センサで検出され、この検出した濃度に基づいてキャリア液タンクや高濃度タンクから適宜キャリア液や高濃度の現像液が濃度調整容器に供給されることで、濃度の調整が行われる。また、濃度調整が完了した後は、濃度調整容器内からすべての現像液が一時貯留タンクへ補給され、この一時貯留タンクから現像液が少しずつ現像装置に供給されるようになっている。
【先行技術文献】
【特許文献】
【０００５】
【特許文献１】特開２００８−２６８９１７号公報
【発明の概要】
【発明が解決しようとする課題】
【０００６】
ところで、濃度センサとしては、液量が所定量になったときにしか濃度の検出を行うことができないセンサがある。このようなセンサを使用する場合には、濃度調整容器内に回収した現像液に高濃度の現像液を注ぎ足すことで濃度調整容器内の液量を所定量にした後で、濃度検出し、検出した濃度に基づいてキャリア液や高濃度の現像液をさらに注ぎ足して濃度を所定濃度に調整する。
【０００７】
しかしながら、この場合には、濃度検出の後の所定量の現像液に対してキャリア液や高濃度の現像液を加えている間（濃度調整中）に電源が切られると、次回に電源を入れたときには、濃度調整容器内の液量が所定量よりも多いため、濃度検出を正確に行うことができなくなり、良好なリサイクルが行えなくなるといった問題があった。
【０００８】
そこで、本発明は、濃度調整中に電源が切られた場合であっても、その後のリサイクルを良好に行うことができる画像形成装置を提供することを目的とする。
【課題を解決するための手段】
【０００９】
前記課題を解決するため、本発明に係る画像形成装置は、キャリア液に現像剤を混合させてなる所定濃度の現像液（キャリア液と現像剤を一定の重量比で混合させてなる現像液）を貯留する貯留部と、現像液を担持して感光体に供給する現像液担持体と、前記貯留部内の現像液を前記現像液担持体に供給する供給手段と、前記感光体に供給されずに前記現像液担持体上に残った現像液を回収する回収手段と、前記回収手段で回収した現像液の濃度調整を行うための濃度調整容器と、当該濃度調整容器内の現像液を退避させるように送液を行う退避用送液手段と、前記濃度調整容器内から前記退避用送液手段によって送られてくる現像液を収容可能な退避部と、前記濃度調整容器で濃度調整された現像液を前記貯留部に送る第１送液手段と、キャリア液を収容するキャリア液タンクと、前記キャリア液タンク内のキャリア液を前記濃度調整容器に送る第２送液手段と、前記所定濃度よりも高濃度の現像液を収容する高濃度タンクと、前記高濃度タンクから前記濃度調整容器に前記高濃度の現像液を送る第３送液手段と、前記濃度調整容器内の液量が所定量である場合に前記濃度調整容器内の濃度を検出可能な濃度センサと、前記濃度調整容器内の液量を検出するための調整容器液量センサと、前記調整容器液量センサにより前記濃度調整容器内の液量が前記所定量になったことが検出されると前記濃度調整容器内の現像液の濃度を前記濃度センサで検出する濃度検出動作と、検出した濃度に基づいて前記第２送液手段および前記第３送液手段の少なくとも一方を制御することで前記濃度調整容器内の現像液を前記所定濃度に調整する濃度調整動作と、調整後に前記第１送液手段を制御して前記所定濃度の現像液を前記貯留部に送る補給動作とを実行する制御装置とを備え、前記制御装置は、電源が入れられたときに前記調整容器液量センサからの信号に基づいて前記濃度調整容器内の液量が前記所定量以上であると判断した場合に、前記退避用送液手段を制御して前記濃度調整容器内の現像液を前記退避部に退避させることを特徴とする。
【００１０】
本発明によれば、濃度調整中に電源が切られて濃度調整容器内に所定量以上の現像液が残った場合でも、再度電源が入ったときには例えば濃度調整容器内の現像液の一部を退避させて現像液の量を所定量にすることで、再度濃度検出を行うことができる。また、再度電源が入ったときに、例えば濃度調整容器内の現像液のすべてを退避させることで、濃度調整容器に高濃度タンクやキャリア液タンクから所定の割合で高濃度の現像液やキャリア液を供給して、所定濃度の現像液を新たに作り直すことも可能となる。
【発明の効果】
【００１１】
本発明によれば、濃度調整中に電源が切られた場合でも、再度電源を入れたときには濃度調整容器内の現像液を退避させることができるので、その後のリサイクルを良好に行うことができる
【図面の簡単な説明】
【００１２】
【図１】本発明の一実施形態に係るカラープリンタの全体構成を示す構成図である。
【図２】現像液リサイクル装置を示す構成図である。
【図３】制御装置の動作を示すフローチャートである。
【図４】（ａ）〜（ｄ）は、濃度検出動作、濃度調整動作および補給動作時における各容器内の現像液の状態を示す説明図である。
【図５】電源ＯＦＦの状態から電源が入ったときの制御装置の動作を示すフローチャートである。
【図６】電源が入れられたときに濃度調整容器に現像液が所定量以上残っている状態を示す説明図（ａ）と、濃度調整容器内の現像液をすべて退避タンクに退避させた状態を示す説明図（ｂ）である。
【図７】現像液を退避させた後に濃度調整容器内で所定濃度の現像液を生成する状態を示す説明図（ａ）と、所定濃度の現像液を一時貯留タンクに送った後に退避タンクから濃度不明の現像液を一部濃度調整容器内に戻す状態を示す説明図（ｂ）である。
【図８】電源が入れられたときに濃度調整容器に現像液が所定量以上残っている状態を示す説明図（ａ）と、濃度調整容器内の現像液を一部だけ退避タンクに退避させて濃度調整容器内の現像液を所定量よりも少なくした状態を示す説明図（ｂ）である。
【図９】図８の制御を実行する制御装置の動作を示すフローチャートである。
【図１０】電源が入れられたときに濃度調整容器に現像液が所定量以上残っている状態を示す説明図（ａ）と、濃度調整容器内の現像液を一部だけ退避タンクに退避させて濃度調整容器内の現像液を所定量にした状態を示す説明図（ｂ）である。
【図１１】図１０の制御を実行する制御装置の動作を示すフローチャートである。
【図１２】注ぎ足し工程で退避タンク内の現像液を用いる形態を示すフローチャートである。
【発明を実施するための形態】
【００１３】
＜カラープリンタの全体構成＞
次に、本発明の実施形態について、適宜図面を参照しながら詳細に説明する。以下の説明においては、まず、図１により画像形成装置の一例としてのカラープリンタの全体構成を簡単に説明し、その後、本発明の特徴部分について詳細に説明する。
【００１４】
なお、以下の説明において、方向は、カラープリンタを使用するユーザを基準にした方向で説明する。すなわち、図１における右側を「前」、左側を「後」とし、手前側を「左」、奥側を「右」とする。また、図１における上下方向を「上下」とする。
【００１５】
図１に示すように、カラープリンタ１は、本体筐体１０内に、給紙ユニット３０と、４つの露光ユニット４０と、４つの画像形成ユニット５０と、転写ユニット６０と、定着ユニット７０とを主に備えている。
【００１６】
本体筐体１０の上部には、本体筐体１０から排出された用紙Ｓが載置・積層される排紙トレイ１２が設けられている。
【００１７】
給紙ユニット３０は、本体筐体１０内の下部に設けられ、用紙Ｓを収容する給紙トレイ３１と、給紙トレイ３１から用紙Ｓを転写位置（中間転写ベルト６３と２次転写ローラ６５との間）に搬送する給紙機構３２とを主に備えている。給紙トレイ３１内の用紙Ｓは、給紙機構３２によって１枚ずつ分離されて転写位置に搬送される。
【００１８】
露光ユニット４０は、感光体の一例としての感光体ドラム１０１に対向して配置され、先端に図示しない複数の発光部（ＬＥＤ）が感光体ドラム１０１の軸方向（左右方向）に配列されている。この露光ユニット４０は、画像データに基づいて発光部を明滅させることで、感光体ドラム１０１の表面を露光する。
【００１９】
画像形成ユニット５０は、給紙ユニット３０の上方で前後に並んで配置され、感光体ユニット１００と、現像ユニット２００とを備えて構成されている。
【００２０】
感光体ユニット１００は、後述する中間転写ベルト６３と接する感光体ドラム１０１と、感光体ドラム１０１の表面を一様に帯電させる帯電器１０２とを主に備えている。
【００２１】
現像ユニット２００は、感光体ドラム１０１に対して所定濃度の現像液ＤＬを供給する装置である。ここで、現像液ＤＬは、パラフィンオイルやシリコーンオイルなどの不揮発性のキャリア液に、エポキシやポリエステルなどの樹脂や顔料および荷電制御剤からなるトナー粒子（現像剤）を混合させることで生成されている。また、「濃度」とは、現像液ＤＬ中におけるトナー粒子の濃度、すなわち固形分濃度を意味する。
【００２２】
そして、各現像ユニット２００は、その内部で収容する現像液ＤＬ中のトナー粒子の色が相違するのみであり、略同一の構造となっている。なお、この現像ユニット２００は、後述する現像液リサイクル装置ＲＭの一部を兼ねるため、詳細な構造は後で説明する。
【００２３】
転写ユニット６０は、画像形成ユニット５０の上方に設けられ、駆動ローラ６１と、従動ローラ６２と、駆動ローラ６１および従動ローラ６２の間に張設された無端状の中間転写ベルト６３と、中間転写ベルト６３を介して感光体ドラム１０１と対向配置された４つの１次転写ローラ６４と、中間転写ベルト６３を介して駆動ローラ６１と対向配置された２次転写ローラ６５とを主に備えている。
【００２４】
このような画像形成ユニット５０および転写ユニット６０では、感光体ドラム１０１の表面が、帯電器１０２により一様に帯電された後、露光ユニット４０によって露光されることで、感光体ドラム１０１上に画像データに基づく静電潜像が形成される。その後、現像ユニット２００から感光体ドラム１０１の静電潜像に現像液ＤＬ中のトナー粒子が供給される。
【００２５】
これにより、静電潜像が可視像化されて感光体ドラム１０１上にトナー像が形成される。各感光体ドラム１０１上に形成された各色のトナー像は、中間転写ベルト６３上に順次重ね合わせて転写される。そして、給紙ユニット３０から搬送された用紙Ｓが、中間転写ベルト６３と２次転写ローラ６５の間の転写位置を通過することで、中間転写ベルト６３上のトナー像が用紙Ｓに転写される。
【００２６】
定着ユニット７０は、転写ユニット６０の後側上方に設けられ、加熱ローラ７１と、加熱ローラ７１と対向配置されて加熱ローラ７１を押圧する加圧ローラ７２と、定着後の用紙Ｓを本体筐体１０の外部に排出する排出ローラ７３とを備えている。定着ユニット７０では、トナー像が転写された用紙Ｓが、加熱ローラ７１と加圧ローラ７２との間を通過することでトナー像が熱定着され、排出ローラ７３によって本体筐体１０の外部に排出されて排紙トレイ１２上に載置・積層される。
【００２７】
＜現像液リサイクル装置の構造＞
次に、図２を参照して現像液リサイクル装置ＲＭについて説明する。
図２に示すように、現像液リサイクル装置ＲＭは、現像ユニット２００、回収手段の一例としての回収装置３００、濃度調整容器３１０、キャリア液タンク３２０、高濃度タンク３３０、一時貯留タンク３４０、退避部の一例としての退避タンク３６０および制御装置３５０を主に備えている。
【００２８】
現像ユニット２００は、貯留容器２０１と、供給手段の一例としての供給ローラ２０２および中間ローラ２０３と、現像液担持体の一例としての現像ローラ２０４とを主に備えている。ここで、貯留容器２０１と一時貯留タンク３４０は、貯留部の一例である。
【００２９】
貯留容器２０１は、現像（現像ローラ２０４から感光体ドラム１０１へのトナー粒子の供給）に使用される所定濃度の現像液ＤＬを貯留する容器であり、供給ローラ２０２による現像液ＤＬの汲み上げを良好にするべく、浅めに形成されている。
【００３０】
すなわち、貯留容器２０１を深め（底面が供給ローラ２０２から大きく離れるように）に形成した場合には、供給ローラ２０２よりも下にある現像液ＤＬの量が多くなってしまい、供給ローラ２０２に現像液ＤＬを汲み上げて送る他のローラを追加する必要がある。これに対し、本実施形態のように供給ローラ２０２に近接した位置に底面が位置するように貯留容器２０１を浅めに形成することで、他のローラを追加することなく供給ローラ２０２で現像液ＤＬの汲み上げを良好に行うことが可能となっている。
【００３１】
そして、この貯留容器２０１には、その内部の現像液ＤＬの液量が常に所定範囲内に収まるように、２つの液量センサＥ１，Ｅ２が設けられている。具体的には、一方の液量センサＥ１では、前記所定範囲の下限値に相当する液量を検知し、他方の液量センサＥ２では、前記所定範囲の上限値に相当する液量を検知している。
【００３２】
なお、本実施形態では、液量センサＥ１，Ｅ２（後述する他の液量センサも同様）として、発光部Ｅ１１，Ｅ２１から出射した光を受光部Ｅ１２，Ｅ２２で受光するか否かで液面の位置が所定位置よりも下に位置するか否かを検出するセンサを用いることとする。すなわち、この液量センサでは、光を受光している間はＯＮ信号を制御装置３５０に出力し、光が現像液ＤＬで遮断されているときにはＯＦＦ信号を制御装置３５０に出力する。そして、この制御装置３５０は、ＯＦＦ信号を受信しているときには液面の位置が所定位置以上の位置に位置すると判断し、ＯＮ信号を受信しているときには液面の位置が所定位置よりも下に位置すると判断する。また、液量センサＥ１，Ｅ２は、発光部Ｅ１１，Ｅ２１から受光部Ｅ１２，Ｅ２２へ出射される光がローラや軸その他の部材で遮られないように、ローラや軸その他の部材を避けた位置に設けられている。
【００３３】
供給ローラ２０２は、貯留容器２０１内の現像液ＤＬを表面で担持する金属製のローラである。この供給ローラ２０２は、その一部（下部）が貯留容器２０１内の現像液ＤＬ中に浸かった状態で回転することで、表面で担持した現像液ＤＬを上方の中間ローラ２０３に汲み上げるように搬送する。
【００３４】
中間ローラ２０３は、供給ローラ２０２から送られてくる現像液ＤＬを表面に形成された溝内で担持する金属製のローラであり、供給ローラ２０２との間に所定の小さな隙間を空けて配置されている。そして、前述した供給ローラ２０２から中間ローラ２０３上に供給された現像液ＤＬは、中間ローラ２０３の回転により金属製の液量規制ブレード２０５に到達すると、この液量規制ブレード２０５で一部すりきられて一定の液量に規制され、その後現像ローラ２０４に供給される。なお、液量規制ブレード２０５ですりきられた現像液ＤＬは、重力により貯留容器２０１に戻される。
【００３５】
現像ローラ２０４は、中間ローラ２０３から送られてくる現像液ＤＬを表面で担持するローラであり、導電性を有するウレタンゴムで形成されている。この現像ローラ２０４は、中間ローラ２０３に圧接された状態で回転することで、中間ローラ２０３から供給された現像液ＤＬを感光体ドラム１０１に搬送する。
【００３６】
なお、この現像ローラ２０４上の現像液ＤＬは、中間ローラ２０３から感光体ドラム１０１に搬送されるまでの間に、コンパクション用帯電器２０６から電界が印加されることによって、そのトナー粒子が現像ローラ２０４上に押し付けられる（凝集される）。その後、現像ローラ２０４上の現像液ＤＬが感光体ドラム１０１に到達すると、感光体ドラム１０１上に形成された静電潜像に現像液ＤＬ中のトナー粒子が移動するとともに、現像液ＤＬ中のキャリア液の一部も感光体ドラム１０１に付着する。なお、静電潜像の無い領域（非画像部）では、コンパクションの効果（コンパクション用帯電器２０６による効果）によりトナー粒子が現像ローラ２０４上に残り、主にキャリア液が現像ローラ２０４から感光体ドラム１０１に付着する。
【００３７】
そのため、感光体ドラム１０１上に形成される静電潜像の面積率が大きい場合には、多くのトナー粒子が移動することで、回収装置３００で回収される現像液ＤＬの濃度は薄く、かつ、その量も少なくなる。これに対し、静電潜像の面積率が小さい場合には、トナー粒子の移動量が少なくなることで、回収装置３００で回収される現像液ＤＬの濃度は濃く、かつ、その量も多くなる。
【００３８】
回収装置３００は、回収ブレード３０１、受け皿部３０２、回収タンク３０３および２つのポンプＰ５，Ｐ６を備えて構成されている。
回収ブレード３０１は、現像ローラ２０４の表面に摺接しており、感光体ドラム１０１に供給されずに現像ローラ２０４上に残った現像液ＤＬを受け皿部３０２に掻き落としている。
【００３９】
受け皿部３０２は、回収ブレード３０１で掻き取った現像液ＤＬを一時的に貯留する液溜め部であり、配管Ｔ１を介して回収タンク３０３と連通している。そして、配管Ｔ１には、受け皿部３０２から回収タンク３０３への現像液ＤＬの送液またはその送液の停止を行うポンプＰ５が設けられている。
【００４０】
なお、本実施形態では、現像液ＤＬが溜まる各液溜め部に対して、便宜上、受け皿部、容器およびタンクの名称を付けているが、これらの各液溜め部は、１つの容器として形成されていてもよいし、本体筐体１０等のフレームの一部として形成されていてもよい。
【００４１】
回収タンク３０３は、受け皿部３０２から送られてくる現像液ＤＬを一時的に貯留しておくタンクであり、配管Ｔ２を介して濃度調整容器３１０と連通している。そして、配管Ｔ２には、回収タンク３０３から濃度調整容器３１０への現像液ＤＬの送液またはその送液の停止を行うポンプＰ６が設けられている。
【００４２】
濃度調整容器３１０は、前述した回収装置３００で回収した現像液ＤＬの濃度調整を行うための容器である。この濃度調整容器３１０には、現像液ＤＬを撹拌するための撹拌翼３１１と、撹拌翼３１１を回転させているときに撹拌翼３１１の回転軸に加わるトルクを検出するトルクセンサＦＥと、現像液ＤＬの温度を検出する温度センサＴＥと、現像液ＤＬの液量を検出する調整容器液量センサＣＥとが設けられている。
【００４３】
そして、この濃度調整容器３１０では、現像液ＤＬが所定量であるときに、撹拌翼３１１を回転させ、そのときのトルクと温度を検出することで、現像液ＤＬの濃度が検出されるようになっている。撹拌翼の回転軸にかかる負荷トルクは、現像液の粘度により変動する。現像液の濃度は粘度と相関があり、濃度が高くなるほど粘度は上がる。また、現像液濃度と負荷トルクの相関は、温度と液量で変動する。所定液量において、各温度における相関データから現像液濃度を算出する。すなわち、本実施形態では、前述した撹拌翼３１１、トルクセンサＦＥ、温度センサＴＥおよび調整容器液量センサＣＥ（発光部ＣＥ１および受光部ＣＥ２）によって、濃度センサが構成されている。
【００４４】
キャリア液タンク３２０は、キャリア液ＣＬを収容するタンクであり、配管Ｔ３を介して濃度調整容器３１０と連通している。そして、配管Ｔ３には、キャリア液タンク３２０から濃度調整容器３１０へのキャリア液ＣＬの送液またはその送液の停止を行う第２送液手段の一例としての第２ポンプＰ２が設けられている。
【００４５】
高濃度タンク３３０は、現像に使用される所定濃度の現像液ＤＬよりも高濃度の現像液ＤＬ（以下、「原液ＮＬ」ともいう。）を収容するタンクであり、配管Ｔ４を介して濃度調整容器３１０と連通している。そして、配管Ｔ４には、高濃度タンク３３０から濃度調整容器３１０への原液ＮＬの送液またはその送液の停止を行う第３送液手段の一例としての第３ポンプＰ３が設けられている。
【００４６】
一時貯留タンク３４０は、濃度調整容器３１０から送られてくる所定濃度の現像液ＤＬを一時的に貯留するタンクであり、配管Ｔ５を介して濃度調整容器３１０に連通するとともに、配管Ｔ６を介して貯留容器２０１に連通している。そして、配管Ｔ５には、濃度調整容器３１０から一時貯留タンク３４０への現像液ＤＬの送液またはその送液の停止を行う第１送液手段の一例としての第１ポンプＰ１が設けられている。
【００４７】
また、配管Ｔ６には、一時貯留タンク３４０から貯留容器２０１への現像液ＤＬの送液またはその送液の停止を行う第４送液手段の一例としての第４ポンプＰ４が設けられている。さらに、一時貯留タンク３４０には、その内部の現像液ＤＬの液量を検出する貯留部液量センサＲＥ（発光部ＲＥ１および受光部ＲＥ２）が設けられている。
【００４８】
退避タンク３６０は、濃度調整容器３１０から送られてくる現像液ＤＬを収容（貯留）するタンクであり、配管Ｔ７，Ｔ８を介して濃度調整容器３１０に連通している。そして、配管Ｔ７には、濃度調整容器３１０内の現像液ＤＬを退避させるように送液を行う退避用送液手段の一例としての退避用ポンプＰ７が設けられ、配管Ｔ８には、退避タンク３６０内の現像液ＤＬを濃度調整容器３１０に戻すための戻し用送液手段の一例としての戻し用ポンプＰ８が設けられている。
【００４９】
制御装置３５０は、ＣＰＵ、ＲＯＭ、ＲＡＭ、通信機器などの公知のハードウェアを有しており、ＲＯＭに記憶しているプログラムや前述した各液量センサＥ１，Ｅ２，ＣＥ，ＲＥからの信号に基づいて各ポンプＰ１〜Ｐ８の制御を実行する。具体的に、この制御装置３５０は、主に、カラープリンタ１の電源ＯＮ中において図３に示すフローチャートを繰り返し実行し、電源ＯＦＦの状態から電源が入れられたときには図５に示すフローチャートを、図３に示すフローチャートよりも先に実行する。
【００５０】
図３に示すように、制御装置３５０は、まず、貯留部液量センサＲＥからの信号に基づいて、一時貯留タンク３４０内の液量Ｌｒが所定値Ｌ１以下になったか否かを判断する（Ｓ１）。具体的には、制御装置３５０は、貯留部液量センサＲＥからＯＮ信号が出力されたか否かで、液量Ｌｒが所定値Ｌ１以下になったか否かを判断する（Ｓ１）。
【００５１】
そして、図４（ａ）に示すように、一時貯留タンク３４０内の現像液ＤＬの液面が所定位置よりも下に下がることで貯留部液量センサＲＥからＯＮ信号が出力されると、制御装置３５０は、ステップＳ１において液量Ｌｒが所定値Ｌ１以下になったと判断する（Ｙｅｓ）。その後、制御装置３５０は、ポンプＰ６を停止することで、濃度調整容器３１０内への現像液ＤＬの回収を停止させる（Ｓ２）。
【００５２】
ステップＳ２の後、制御装置３５０は、図４（ｂ）に示すように、第３ポンプＰ３の駆動を開始することで、高濃度タンク３３０から濃度調整容器３１０への原液ＮＬの送液（注ぎ足し）を開始する（Ｓ３）。ステップＳ３の後、制御装置３５０は、調整容器液量センサＣＥからの信号に基づいて、濃度調整容器３１０内の液量Ｌｃが所定量Ｌ２になったか否かを判断する（Ｓ４）。具体的には、制御装置３５０は、調整容器液量センサＣＥからＯＦＦ信号が出力されたか否かで、液量Ｌｃが所定量Ｌ２になったか否かを判断する（Ｓ４）。
【００５３】
ステップＳ４において液量Ｌｃが所定量Ｌ２になった場合には（Ｙｅｓ）、制御装置３５０は、第３ポンプＰ３を停止することで、原液ＮＬの注ぎ足しを停止させる（Ｓ５）。ステップＳ５の後、制御装置３５０は、撹拌翼３１１を回転させるとともに、トルクセンサＦＥおよび温度センサＴＥで、そのときのトルクと温度を検出することで、濃度調整容器３１０内の現像液ＤＬの濃度を検出する（Ｓ６：濃度検出動作）。
【００５４】
ステップＳ６の後、制御装置３５０は、図４（ｃ）に示すように、検出した濃度に基づいて第２ポンプＰ２および第３ポンプＰ３の少なくとも一方を制御することで濃度調整容器３１０内の現像液ＤＬを所定濃度に調整する（Ｓ７：濃度調整動作）。すなわち、制御装置３５０は、検出した濃度が所定濃度よりも薄ければ、第３ポンプＰ３を駆動して原液ＮＬを注ぎ足し、検出した濃度が所定濃度よりも濃ければ、第２ポンプＰ２を駆動してキャリア液ＣＬを注ぎ足す。なお、原液ＮＬおよびキャリア液ＣＬのいずれか一方の供給によって現像液ＤＬの濃度を所定濃度にすることはできるが、濃度調整容器３１０内の液量が所望する量に満たない場合には、第２ポンプＰ２および第３ポンプＰ３の両方を制御して原液ＮＬとキャリア液ＣＬとを所定の割合で供給すればよい。
【００５５】
ステップＳ７の後、制御装置３５０は、図４（ｄ）に示すように、第１ポンプＰ１を制御することで、濃度調整容器３１０内にて所定濃度に調整された現像液ＤＬをすべて一時貯留タンク３４０に送る（Ｓ８：補給動作）。
【００５６】
ステップＳ８の後（第１ポンプＰ１の駆動を停止した後）、制御装置３５０は、退避タンク３６０内に現像液が存在するか否かを判断する（Ｓ８１）。ここで、退避タンク３６０内に現像液が存在するか否かの判断は、例えば、退避タンク３６０内の液量を検出する液量センサを設け、この液量センサからの信号に基づいて行ってもよい。また、退避用ポンプＰ７を駆動させた後の戻し用ポンプＰ８の駆動回数をカウントし、その駆動回数が所定回数未満の場合には現像液ＤＬが存在すると判断し、所定回数以上の場合には退避タンク３６０内が空であると判断してもよい。
【００５７】
ステップＳ８１において現像液ＤＬが存在すると判断したときには（Ｙｅｓ）、制御装置３５０は、戻し用ポンプＰ８を制御することで、退避タンク３６０内の現像液ＤＬを所定量Ｌ２よりも少ない量Ｌ３だけ濃度調整容器３１０に戻す（Ｓ８２）。そして、ステップＳ８２の後や、ステップＳ８１でＮｏと判断したときには、制御装置３５０は、２つのポンプＰ５，Ｐ６の双方を駆動させることで、現像液ＤＬの回収を再開（Ｓ９）して、本制御を終了する。
【００５８】
なお、制御装置３５０は、前述のフローチャートに従った制御とは別に、貯留容器２０１内の液量が少なくなったら、第４ポンプＰ４を駆動することで、一時貯留タンク３４０内の現像液ＤＬを貯留容器２０１に注ぎ足す制御も行っている。すなわち、制御装置３５０は、液量センサＥ１からの信号に基づいて、貯留容器２０１内の液量が前述した下限値以下となったか否かを判断し、下限値以下となった場合に第４ポンプＰ４を駆動して一時貯留タンク３４０内の現像液ＤＬを貯留容器２０１に送る。その後、液量センサＥ２からの信号に基づいて、貯留容器２０１内の液量が前述した上限値以上になったか否かを判断し、上限値以上となった場合に第４ポンプＰ４を停止して現像液ＤＬの供給を停止させる。
【００５９】
そして、このように前述のフローチャートに従った制御とは別に一時貯留タンク３４０内の現像液ＤＬを貯留容器２０１に注ぎ足す制御が行われることにより、図４（ａ）〜（ｃ）の間、一時貯留タンク３４０内の現像液ＤＬは、徐々に減っていく。そのため、濃度検出動作を開始する前に、一時貯留タンク３４０に残しておく現像液ＤＬの量（ステップＳ１の所定値Ｌ１）は、貯留部液量センサＲＥで現像液ＤＬの量が所定値Ｌ１になったと検知してから（Ｓ１；Ｙｅｓ）、補給動作（Ｓ８）が開始されるまでの時間の間に現像ユニット２００で消費される現像液ＤＬの量よりも多い量に設定しておく。
【００６０】
図５に示すように、制御装置３５０は、電源ＯＦＦの状態から電源が入れられたときには（ＳＴＡＲＴ）、まず、調整容器液量センサＣＥからの信号に基づいて、濃度調整容器３１０内の液量Ｌｃが所定量Ｌ２以上であるか否かを判断する（Ｓ１１）。ステップＳ１１において液量Ｌｃが所定量Ｌ２に満たない場合には（Ｎｏ）、制御装置３５０は、そのまま本制御を終了する。なお、このように液量Ｌｃが所定量Ｌ２に満たない場合には、前述した図３のフローチャートに従った制御により、所定量Ｌ２に満たない現像液ＤＬに原液ＮＬが注ぎ足されることで（Ｓ３〜Ｓ５）、濃度検出を行うことが可能となっている。
【００６１】
一方、ステップＳ１１において液量Ｌｃが所定量Ｌ２以上であると判断した場合には（Ｙｅｓ）、図６（ａ），（ｂ）の順で示すように、制御装置３５０は、退避用ポンプＰ７を制御して濃度調整容器３１０内の現像液ＤＬをすべて退避タンク３６０に退避させる（Ｓ１２）。ステップＳ１２の後、制御装置３５０は、図７（ａ）に示すように、第２ポンプＰ２および第３ポンプＰ３を制御することで濃度調整容器３１０内に所定濃度の現像液ＤＬを生成する（Ｓ１３）。
【００６２】
ステップＳ１３の後、制御装置３５０は、図７（ｂ）に示すように、第１ポンプＰ１を制御することで濃度調整容器３１０内の所定濃度の現像液ＤＬをすべて一時貯留タンク３４０に送る（Ｓ１４）。ステップＳ１４の後、制御装置３５０は、戻し用ポンプＰ８を制御することで、退避タンク３６０内の現像液ＤＬを所定量Ｌ２よりも少ない量Ｌ３だけ濃度調整容器３１０に戻して（Ｓ１５）、本制御を終了する。
【００６３】
以上のように構成される現像液リサイクル装置ＲＭでは、図４（ｃ）に示すような濃度調整中に電源が切られることで、図６（ａ）に示すように、濃度不明な現像液ＤＬが所定量Ｌ２以上残った場合であっても、再度電源を入れたときには、図６（ｂ）に示すように、濃度調整容器３１０内の現像液ＤＬがすべて退避タンク３６０に退避する。その後は、図７（ａ），（ｂ）に示すように、濃度調整容器３１０内で所定濃度の現像液ＤＬが新たに生成された後、一時貯留タンク３４０内に補給される。
【００６４】
そして、補給後は、退避タンク３６０から濃度調整容器３１０に濃度不明な現像液ＤＬが所定量Ｌ２よりも少ない量Ｌ３だけ送られる。その後は、回収装置３００によって濃度調整容器３１０に回収されてくる現像液ＤＬが、濃度調整容器３１０内に溜まっている現像液ＤＬに混ざることとなる。
【００６５】
そして、図４（ａ）に示すように、一時貯留タンク３４０内の液量Ｌｒが所定値Ｌ１以下になった場合には、図４（ｂ）〜（ｄ）に示すように、前述した原液ＮＬの注ぎ足し、現像液ＤＬの濃度検出、濃度調整および補給が行われる。そして、この補給後において、図７（ｂ）に示すように、退避タンク３６０に現像液ＤＬが残っている場合には、退避タンク３６０から現像液ＤＬが液量Ｌ３だけ濃度調整容器３１０に送られる。
【００６６】
以上によれば、本実施形態において以下のような効果を得ることができる。
濃度調整中に電源が切られて濃度調整容器３１０内に所定量Ｌ２以上の現像液ＤＬが残った場合でも、再度電源が入ったときには濃度調整容器３１０内の現像液ＤＬがすべて退避されて、濃度調整容器３１０内で新たに所定濃度の現像液ＤＬを生成することが可能となるので、その後のリサイクルを良好に行うことができる。
【００６７】
濃度調整容器３１０内の現像液ＤＬをすべて退避タンク３６０に退避させた後、第２ポンプＰ２および第３ポンプＰ３を制御することで濃度調整容器３１０内に所定濃度の現像液ＤＬを生成したので、濃度検出を行わない分だけ、電源ＯＮしてから補給までの時間を短くすることができる。
【００６８】
退避タンク３６０内の現像液ＤＬを濃度調整容器３１０内に戻せるように構成したので、退避させた現像液ＤＬを有効活用することができる。
【００６９】
一時貯留タンク３４０内の液量Ｌｒが所定値Ｌ１以下になった場合には（Ｓ１；Ｙｅｓ）、濃度検出動作、濃度調整動作および補給動作（Ｓ６〜Ｓ８）が実行されるので、一時貯留タンク３４０内が空になる前に一時貯留タンク３４０内に所定濃度の現像液ＤＬを補給することができる。また、このように、現像液ＤＬを簡略な制御で補給することができる。また、一時貯留タンク３４０内の液量Ｌｒを貯留部液量センサＲＥで監視することで、一時貯留タンク３４０の容量を最小限に抑えることができるので、装置の小型化も図ることができる。
【００７０】
貯留部を２つの容器（貯留容器２０１と一時貯留タンク３４０）で構成したので、一方の貯留容器２０１を浅めに形成して供給ローラ２０２での現像液ＤＬの汲み上げを良好に行うことができる。また、他方の一時貯留タンク３４０の容量を大きくして、濃度調整容器３１０からの現像液ＤＬの補給動作の頻度を少なくすることができる。
【００７１】
なお、原液ＮＬの送液開始（Ｓ３）時点で、回収された現像液ＤＬの回収量が少なく、所定の量Ｌ２になるまでに多くの液を追加しなければならない場合は、印字面積率が大きい場合である。このとき、現像液ＤＬの濃度は、所定濃度より薄くなっている。そのため、前記実施形態のように濃度調整容器３１０内に原液ＮＬを供給することで、キャリア液ＣＬを供給するのに比べて、所定濃度に近付けることができる。印字面積率が小さい場合は、回収された現像液ＤＬの回収量が多い。このとき、現像液ＤＬの濃度は、所定濃度より濃くなっているが、ステップＳ３で追加する原液ＮＬの量は少ないので、濃度調整容器内の現像液の濃度変化に与える影響は少ない。この結果、濃度検出後の濃度調整に要する現像液（原液ＮＬ・キャリア液ＣＬ）の量が不要に多くなるのを防止できる。
【００７２】
なお、本発明は前記実施形態に限定されることなく、以下に例示するように様々な形態で利用できる。
前記実施形態では、濃度調整容器３１０内の現像液ＤＬをすべて退避タンク３６０に退避させたが、本発明はこれに限定されず、濃度調整容器３１０内の現像液ＤＬの一部を退避タンク３６０に退避させてもよい。具体的には、例えば、図８（ａ），（ｂ）に示すように、濃度調整容器３１０内の現像液ＤＬが所定量Ｌ２より少なくなるまで現像液ＤＬの一部を退避タンク３６０に退避させてもよい。
【００７３】
ここで、濃度調整中に電源が切られたときに濃度調整容器３１０内に残る現像液ＤＬの量の範囲は、実験やシミュレーション等で求めることができる。そのため、実験等で求めた所定範囲で変動する現像液ＤＬの最大量に基づいて、退避タンク３６０に退避させるべき現像液ＤＬの量を決めれば、一定量の現像液ＤＬを退避させることで濃度調整容器３１０内の液量が確実に所定量Ｌ２を下回ることになる。
【００７４】
なお、このような制御を行うには、前記実施形態で示した図５のフローチャートの代わりに、図９のフローチャートに従った制御を行えばよい。すなわち、図９に示すように、制御装置は、電源ＯＦＦの状態から電源が入れられたときには（ＳＴＡＲＴ）、まず、調整容器液量センサＣＥからの信号に基づいて、濃度調整容器３１０内の液量Ｌｃが所定量Ｌ２以上であるか否かを判断する（Ｓ２１）。ステップＳ２１において液量Ｌｃが所定量Ｌ２に満たない場合には（Ｎｏ）、制御装置は、そのまま本制御を終了する。
【００７５】
一方、ステップＳ２１において液量Ｌｃが所定量Ｌ２以上であると判断した場合には（Ｙｅｓ）、図８（ａ），（ｂ）の順で示すように、制御装置は、退避用ポンプＰ７を所定時間だけ駆動して濃度調整容器３１０内の現像液ＤＬの一部を退避タンク３６０に退避させる（Ｓ２２）。これにより、濃度調整容器３１０内の現像液ＤＬは、所定量Ｌ２より少なくなる。
【００７６】
ステップＳ２２の後（濃度調整容器３１０内の現像液ＤＬが所定量Ｌ２よりも少なくなった後）、制御装置は、前記実施形態と同様のステップＳ３〜Ｓ９の処理を行う。これにより、図４（ａ）〜（ｄ）に示すように、原液ＮＬの注ぎ足し、現像液ＤＬの濃度検出、濃度調整および補給が行われるので、一時貯留タンク３４０内に所定濃度の現像液ＤＬを確実に補給して、リサイクルを良好に行うことができる。
【００７７】
また、例えば、図１０（ａ），（ｂ）に示すように、濃度調整容器３１０内の現像液ＤＬがちょうど所定量Ｌ２になるまで現像液ＤＬの一部を退避タンク３６０に退避させてもよい。つまり、濃度調整容器３１０内の余剰分の現像液ＤＬ（所定量Ｌ２を超えている分の現像液ＤＬ）を退避させることで、濃度調整容器３１０内の現像液ＤＬを所定量Ｌ２にしてもよい。
【００７８】
この場合は、図１０（ａ），（ｂ）に示すように、例えば、調整容器液量センサＣＥで検出する液面よりも僅か上方に位置する液面を検出する退避用センサＢＥ（調整容器液量センサＣＥと同一構造の液量センサ）を設けることで、濃度調整容器３１０内で徐々に減っていく現像液ＤＬを所定量Ｌ２で止めることができる。具体的には、電源が入ったときに退避用センサＢＥから出射する光の光路よりも上方に液面が位置する場合には、退避用ポンプＰ７を駆動させることで濃度調整容器３１０内の現像液ＤＬを徐々に退避させていくと、調整容器液量センサＣＥがＯＮになる前に、退避用センサＢＥがＯＮになる。
【００７９】
そのため、退避用センサＢＥがＯＮになったときに退避用ポンプＰ７を止めれば、濃度調整容器３１０内の現像液ＤＬを所定量Ｌ２にすることが可能となる。すなわち、退避用センサＢＥのＯＮ時から実際に退避用ポンプＰ７が止まるまでには、多少のタイムラグがあるため、このタイムラグを考慮した位置に退避用センサＢＥを配置することで、濃度調整容器３１０内の現像液ＤＬを所定量Ｌ２で止めることができる。
【００８０】
なお、退避用センサＢＥの位置は、実験やシミュレーション等により適宜決めることができる。また、電源が入ったときに退避用センサＢＥの光路と調整容器液量センサＣＥの光路の間に液面が位置する場合には、液量が略所定量Ｌ２であると考えることができるので、退避用ポンプＰ７を停止したままにするか、一瞬だけ駆動させることで、濃度調整容器３１０内の現像液ＤＬを所定量Ｌ２とすることができる。
【００８１】
そして、このような制御を行うには、前述した図９のフローチャートの代わりに、図１１のフローチャートに従った制御を行えばよい。すなわち、図１１に示すように、制御装置は、電源ＯＦＦの状態から電源が入れられたときには（ＳＴＡＲＴ）、まず、調整容器液量センサＣＥからの信号に基づいて、濃度調整容器３１０内の液量Ｌｃが所定量Ｌ２以上であるか否かを判断する（Ｓ２１）。ステップＳ２１において液量Ｌｃが所定量Ｌ２に満たない場合には（Ｎｏ）、制御装置は、そのまま本制御を終了する。
【００８２】
一方、ステップＳ２１において液量Ｌｃが所定量Ｌ２以上であると判断した場合には（Ｙｅｓ）、図１０（ａ），（ｂ）の順で示すように、制御装置は、退避用センサＢＥからのＯＮ信号に基づいて退避用ポンプＰ７を制御して濃度調整容器３１０内の現像液ＤＬの一部（余剰分）を退避タンク３６０に退避させる（Ｓ２２’）。これにより、濃度調整容器３１０内の現像液ＤＬは、所定量Ｌ２となる。
【００８３】
そして、このように濃度調整容器３１０内の現像液ＤＬが所定量Ｌ２となることで、前述した原液ＮＬを所定量Ｌ２まで注ぎ足す制御（Ｓ３〜Ｓ５）が不要となるので、それ以後は、ステップＳ６〜Ｓ９の処理を行えば、濃度検出、濃度調整および補給が行われる。すなわち、図１１の形態では、現像液ＤＬを退避させた直後に濃度検出を行うことができるので、図９の形態よりも一時貯留タンク３４０内に所定濃度の現像液ＤＬを迅速に補給して、リサイクルをより良好に行うことができる。
【００８４】
なお、図１１の形態では、現像液ＤＬの余剰分を検出するための退避用センサＢＥが必要となるが、図９の形態では、そのようなセンサが不要となるので、コストの低減や制御の簡易化を図ることができる。
【００８５】
さらに、図１１や図９の形態では、濃度調整容器３１０内の現像液ＤＬの一部を退避タンク３６０に退避させるので、退避タンク３６０内が現像液ＤＬで一杯になるのを抑えることができる。または、現像液ＤＬの退避量に合わせて退避タンク３６０を小型化することができる。
【００８６】
前記実施形態では、退避部として退避タンク３６０を採用したが、本発明はこれに限定されず、配管を複数回屈曲させることで退避部を形成してもよい。
【００８７】
前記実施形態では、退避タンク３６０内の現像液ＤＬを補給動作の後に濃度調整容器３１０に戻すようにしたが、本発明はこれに限定されるものではない。例えば、図３における濃度検出処理（Ｓ６）を行う前に、退避タンクに現像液が残っているか否かを判断し、残っている場合には、戻し用送液手段を制御することで高濃度タンク内の原液よりも退避タンク内の現像液を優先して濃度調整容器内に注ぎ足すようにしてもよい。これによれば、退避タンク内の現像液を早く無くすことができるので、次回の現像液の退避時に退避タンクから現像液が溢れるのを抑制することができる。
【００８８】
そして、このような制御を行うには、前述した図３のフローチャートの代わりに、図１２のフローチャートに従った制御を行えばよい。すなわち、図１２に示すように、制御装置は、貯留部液量センサＲＥからの信号に基づいて、一時貯留タンク３４０内の液量Ｌｒが所定値Ｌ１以下になったか否かを判断する（Ｓ１）。ステップＳ１において液量Ｌｒが所定値Ｌ１以下になったと判断する（Ｙｅｓ）と、制御装置は、ポンプＰ６を停止することで濃度調整容器３１０内への現像液ＤＬの回収を停止させる（Ｓ２）。
【００８９】
ステップＳ２の後、制御装置は、退避タンク３６０内に現像液ＤＬが存在するか否かを判断する（Ｓ３０）。ステップＳ３０で現像液ＤＬが存在すると判断したときには（Ｙｅｓ）、制御装置は、戻し用ポンプＰ８を制御することで、退避タンク３６０から濃度調整容器３１０へ送液（注ぎ足し）を開始する（Ｓ３１’）。ステップＳ３１’の後、制御装置は、調整容器液量センサＣＥからの信号に基づいて、濃度調整容器３１０内の液量Ｌｃが所定量Ｌ２になったか否かを判断する（Ｓ４’）。ステップＳ４’において液量Ｌｃが所定量Ｌ２になった場合には（Ｙｅｓ）、制御装置は、第８ポンプＰ８を停止することで、退避タンク３６０からの現像液ＤＬの注ぎ足しを停止させる（Ｓ５’）。
【００９０】
また、ステップＳ３０で現像液ＤＬが存在しないと判断したときには（Ｎｏ）、制御装置は、第３ポンプＰ３の駆動を開始することで、高濃度タンク３３０から濃度調整容器３１０への原液ＮＬの送液（注ぎ足し）を開始する（Ｓ３１）。ステップＳ３１の後、制御装置は、調整容器液量センサＣＥからの信号に基づいて液量Ｌｃが所定量Ｌ２になったか否かを判断する（Ｓ４）。ステップＳ４において液量Ｌｃが所定量Ｌ２になった場合には（Ｙｅｓ）、制御装置は、第３ポンプＰ３を停止することで、原液ＮＬの注ぎ足しを停止させる（Ｓ５）。
【００９１】
そして、ステップＳ５，Ｓ５’の後、制御装置は、前記実施形態と同様のステップＳ６〜Ｓ９の処理を行う。
【００９２】
前記実施形態では、貯留部を２つの容器（貯留容器２０１と一時貯留タンク３４０）で構成したが、本発明はこれに限定されず、貯留容器２０１のみで構成してもよいし、３つ以上の容器で構成してもよい。
【００９３】
前記実施形態では、液量センサとして発光部から出射した光を受光部で受光するか否かで液面の位置が所定位置よりも下に位置するか否かを検出するセンサ、すなわち液面の位置を１箇所だけしか検出できないセンサを採用したが、本発明はこれに限定されず、任意の液面の位置を検出できるセンサを採用してもよい。このセンサとしては、例えば現像液で遮断されることにより変化する光の面積を検出することで液面の位置を光のスポット径の範囲内で任意に検出することができるセンサや、液圧を検出することで液面位置を検出するセンサなどを採用することができる。
【００９４】
なお、このようなセンサを図１０に示す調整容器液量センサＣＥの代わりに採用した場合には、退避用センサＢＥが不要となるので、その分構造を簡易化することができる。
【００９５】
前記実施形態では、現像液担持体や供給手段としてローラ状のものを採用したが、本発明はこれに限定されず、例えばベルト状のものを採用してもよい。
前記実施形態では、回収手段として、回収ブレード３０１、受け皿部３０２、回収タンク３０３および２つのポンプＰ５，Ｐ６を備えた回収装置３００を採用したが、本発明はこれに限定されず、例えば前述した回収装置３００から回収タンク３０３やポンプＰ６を取り除いた装置などを採用してもよい。
【００９６】
前記実施形態では、送液手段としてポンプを採用したが、本発明はこれに限定されず、例えば、重力により送液するような方式であれば、送液手段としてバルブを採用してもよい。
前記実施形態では、キャリア液タンク３２０を各色ごとに設けたが、本発明はこれに限定されず、キャリア液タンクを各色共通で１つだけ設けてもいい。
【００９７】
前記実施形態では、液量Ｌｒが所定値Ｌ１以下になったか否かを判断するステップＳ１を設けたが、本発明はこれに限定されず、ステップＳ１の処理はなくてもよい。すなわち、制御装置が貯留部液量センサにより貯留部内の液量が所定値以下になったことを検出した場合に、前述したステップＳ２〜Ｓ９の処理を開始するようにしてもよい。
前記実施形態では、カラープリンタ１に本発明を適用したが、本発明はこれに限定されず、その他の画像形成装置、例えば複写機や複合機などに本発明を適用してもよい。
【００９８】
前記実施形態（図３，５，９，１１）では、それぞれ退避タンクから濃度調整容器に現像液を戻す処理を設けたが、本発明はこれに限定されず、戻す処理（Ｓ８１，Ｓ８２）はなくてもよい。
【符号の説明】
【００９９】
１      カラープリンタ
１０１  感光体ドラム
２００  現像ユニット
２０１  貯留容器
２０２  供給ローラ
２０３  中間ローラ
２０４  現像ローラ
３００  回収装置
３０１  回収ブレード
３０２  受け皿部
３０３  回収タンク
３１０  濃度調整容器
３１１  撹拌翼
３２０  キャリア液タンク
３３０  高濃度タンク
３４０  一時貯留タンク
３５０  制御装置
３６０  退避タンク
ＢＥ    退避用センサ
ＣＥ    調整容器液量センサ
ＣＬ    キャリア液
ＤＬ    現像液
ＦＥ    トルクセンサ
Ｐ１    第１ポンプ
Ｐ２    第２ポンプ
Ｐ３    第３ポンプ
Ｐ７    退避用ポンプ
Ｐ８    戻し用ポンプ
ＴＥ    温度センサ
【図１】
2010237475.tif 000003
【図２】
2010237475.tif 000004
【図３】
2010237475.tif 000005
【図４】
2010237475.tif 000006
【図５】
2010237475.tif 000007
【図６】
2010237475.tif 000008
【図７】
2010237475.tif 000009
【図８】
2010237475.tif 000010
【図９】
2010237475.tif 000011
【図１０】
2010237475.tif 000012
【図１１】
2010237475.tif 000013
【図１２】
2010237475.tif 000014